(57)【要約】【課題】蛍光灯器具に装着できる蛍光灯形ＬＥＤランプは価格が高いため普及が進んでいない。そこで、普及が拡大している電球形ＬＥＤランプを蛍光灯器具に取り付けることができるＬＥＤ照明器具を提供する。【解決手段】商用電源コンセント、蛍光灯器具の常夜灯用白熱電球ソケット、蛍光灯ソケット、点灯管ソケットから電源の供給を受け、電球形ＬＥＤランプが使用できるように、必要に応じ供給された電源を制御する制御回路を持つか若しくは蛍光灯器具の安定器等を改造し、電球形ＬＥＤランプが使用できるようにした電源を電球形ＬＥＤランプに供給する電球ソケットを持ち、通常の蛍光灯と同様に蛍光灯器具に着脱可能に装着できるＬＥＤ照明器具による。【選択図】  図１
2013143249.tif 000002
【特許請求の範囲】
【請求項１】
少なくとも、複数個のＬＥＤと、口金と、該口金を介して供給される商用電力を前記複数個のＬＥＤを発光させるための電力に変換する点灯回路を具備する一般的な電球形ＬＥＤランプの前記点灯回路を具備しない電球形ＬＥＤランプ（Ａ）と；
供給される電源を前記電球形ＬＥＤランプ（Ａ）が使用可能に変換する前記点灯回路を具備する点灯回路部位と；
前記電球形ＬＥＤランプ（Ａ）が使用可能な電源を前記点灯回路部位から前記電球形ＬＥＤランプ（Ａ）への供給を媒介する電球形ＬＥＤランプ（Ａ）用電球ソケットと；
を具備することを特徴とするＬＥＤ照明器具
【請求項２】
前記電球形ＬＥＤランプ（Ａ）の口金は装着可能であって、前記一般的な電球形ＬＥＤランプの口金は装着不可能にされた電球形ＬＥＤランプ（Ａ）用電球ソケットであることを特徴とする請求項１に記載のＬＥＤ照明器具。
【請求項３】
前記ＬＥＤ照明器具は、蛍光灯器具へ装着可能であって、
前記点灯回路部位は、商用電源、前記蛍光灯器具の常夜灯用白熱電球ソケット、前記蛍光灯器具の蛍光灯ソケット、及び前記蛍光灯器具の点灯管ソケットの少なくとも一つから電源の供給を受け、
電球形ＬＥＤランプ（Ａ）用電球ソケットが、一つ以上固着、及び／または、所定の範囲で首振り可能に一つ以上持着することを特徴とする請求項１〜請求項２のいずれか一項に記載のＬＥＤ照明器具。
【請求項４】
前記ＬＥＤ照明器具の前記点灯回路部位が、前記蛍光灯器具の前記蛍光灯ソケット、及び前記蛍光灯器具の前記点灯管ソケットの少なくとも一つから電源（B）の供給を受ける場合は、
前記点灯回路部位が前記電源（B）を前記電球形ＬＥＤランプ（Ａ）の使用可能な電源に変換可能するための前記電源（B）を制御する制御回路を具備するか、または、前記蛍光灯器具が具備する所定の装置を改造することを特徴とする請求項３に記載のＬＥＤ照明器具。
【請求項５】
前記蛍光灯器具が直管形蛍光灯器具であって、
前記ＬＥＤ照明器具は前記直管形蛍光灯器具の少なくとも一対の蛍光灯ソケットに固着されるか、または、着脱可能に装着されることを特徴とする請求項３〜請求項４のいずれか一項に記載のＬＥＤ照明器具。
【請求項６】
前記ＬＥＤ照明器具は略環状であって、
前記蛍光灯器具は環状蛍光灯器具であって、
前記ＬＥＤ照明器具は前記環状蛍光灯器具の少なくとも一組の環状蛍光灯用ランプホルダーに固着されるか、または、着脱可能に装着されることを特徴とする請求項３〜請求項４のいずれか一項に記載のＬＥＤ照明器具。
【請求項７】
前記電源（B）を制御する前記制御回路が、前記ＬＥＤ照明器具に内蔵されるか、または、着脱可能に前記ＬＥＤ照明器具に装着されることを特徴とする請求項３〜請求項６のいずれか一項に記載のＬＥＤ照明器具。
【請求項８】
前記蛍光灯器具の前記蛍光灯ソケットから電源の供給を受ける部位３ｆ、及び前記蛍光灯器具の前記点灯管ソケットから電源の供給を受ける部位３ｄは、
供給された前記電源（B）が前記点灯回路部位を媒介し前記電球形ＬＥＤランプ（Ａ）が使用可能な電源にするために、供給された前記電源（B）を制御する前記制御回路を具備し、
前記商用電源から電源供給を受ける部位３ｅ、前記蛍光灯器具の前記常夜灯用白熱電球ソケットから電源供給を受ける部位３ｃ、前記部位３ｆ、及び前記部位３ｄのいずれか一つ以上が前記ＬＥＤ照明器具に固着されるか、または、着脱可能に装着されることを特徴とする請求項３〜７のいずれか一項に記載のＬＥＤ照明器具。
【発明の詳細な説明】
【技術分野】
【０００１】
一般的な電球形ＬＥＤランプが具備する点灯回路を除いた一以上の電球形ＬＥＤランプ（Ａ）と、点灯回路を具備した点灯回路部位と、点灯回路が商用電源を変換した電源を電球形ＬＥＤランプ（Ａ）へ媒介する電球形ＬＥＤランプ（Ａ）用ソケットと、を具備する蛍光灯器具に装着可能なＬＥＤ照明器具。
【背景技術】
【０００２】
電力消費量の削減化と照明ランプの長寿命化をはかるため、蛍光灯や白熱電球に代わるＬＥＤランプが提案されている。（特許文献１〜５）そして、白熱電球ソケットに装着できる電球形ＬＥＤランプは、価格低下と性能向上により普及は進んでいる。
【０００３】
これまで広く普及している蛍光灯器具は、フィラメントの電極を有する蛍光ランプが使用され、グロースタータ式、ラピッドスタート式及びインバータ式に大別される。そして、蛍光灯器具で蛍光灯形ＬＥＤランプを使用できるようにするためには、安定器等を改造する方法が一般的である。また、前記のどの方式であっても、蛍光灯照明器具の改造をすることなく使用できる蛍光灯形ＬＥＤランプも提案されている。（特許文献５）
【先行技術文献】
【特許文献】
【０００４】
【特許文献１】実開平６−５４１０３号公報
【特許文献２】特開２００７−２５７９２８号公報
【特許文献３】実公２００８−３１３９７１４号公報
【特許文献４】特開２００８−２７７１８８号公報
【特許文献５】特開２０１１−０４４３１６号公報
【特許文献６】特許４８３５８９０号
【特許文献７】特願２０１１−２１５７６１
【発明の概要】
【発明が解決しようとする課題】
【０００５】
上記蛍光灯形ＬＥＤランプは、蛍光灯の点灯形式、大きさ、形状が多様であり、電球形ＬＥＤランプと比較すると価格が高いために、電球形ＬＥＤランプほど普及は進んでいない。
【０００６】
また、事務所等で使用されている蛍光灯の光は、ＬＥＤランプの光と比較すると拡散性が強く、部屋全体を明るくするには効果的であるが、働く人の手元を明るくするには照度不足の場合がある。
【０００７】
家庭内で広く普及している環状蛍光灯器具は点灯形式、大きさ、形状が多様であり、電球形ＬＥＤランプに比較すると価格が高いため、環状蛍光灯形ＬＥＤランプは電球形ＬＥＤランプほど普及していない。
【０００８】
上記課題を解決するために、広く普及している蛍光灯器具を改造することなく、若しくは、軽微な改造によって、蛍光灯形ＬＥＤランプより安価な、電球形ＬＥＤランプが使用できるよう、所定の範囲内であれば照らす方向を変えることができる電球ソケットを具備し、蛍光灯器具に蛍光灯と同程度の簡便さで装着できるＬＥＤ照明器具は提案されている。（特許文献６）、（特許文献７）
【０００９】
しかし、電球形ＬＥＤランプは発熱し重いため、複数個の電球形ＬＥＤランプを具備したＬＥＤ照明器具を装着させることは蛍光灯器具に負担となる。そこで、本発明は発熱と重さの原因一つとなっている電球形ＬＥＤランプの中の点灯回路を取り出し、一つの点灯回路で、複数個の点灯回路を除いた電球形ＬＥＤランプに必要な電源を供給することであり、また、蛍光灯器具に装着可能なＬＥＤ照明器具を提供することである。
【課題を解決するための手段】
【００１０】
請求項１は、点灯回路を具備しない電球形ＬＥＤランプ（Ａ）と；点灯回路を具備した点灯回路部位と；点灯回路部位から電球形ＬＥＤランプ（Ａ）へ電源を媒介する電球形ＬＥＤランプ（Ａ）用ソケットと：により構成されたＬＥＤ照明器具を説明している。要は、一般的な電球形ＬＥＤランプから点灯回路を分離し、一つの点灯回路で複数の電球形ＬＥＤランプに電源を供給するＬＥＤ照明器具である。
【００１１】
請求項２は、電球形ＬＥＤランプ（Ａ）用ソケットに間違って一般的電球形ＬＥＤランプが装着されないように電球形ＬＥＤランプ（Ａ）口金とそのソケット形状を一般的電球形ランプのそれらと変える方法、または、口金とソケットの溝のピッチを変える方法、または電球形ＬＥＤランプ（Ａ）用ソケットに突起物を設け電球形ＬＥＤランプ（Ａ）口金は突起物に対応した溝を取り設ける方法等の仕掛けがされている。
【００１２】
請求項３は、前記ＬＥＤ照明器具が一般的な蛍光灯器具へ装着でき、必要な電源を商用電源コンセントから直接に、または、蛍光灯器具が具備する常夜灯用白熱電球ソケットから、または、蛍光灯ソケット、または、点灯管ソケットから電源の供給を受ける場合である。そして、電球形ＬＥＤランプ（Ａ）用ソケットは、ＬＥＤ照明器具に固定されるか、ある範囲内で首振り可能に取り付けられている。
【００１３】
請求項４は、蛍光灯ソケット、または、点灯管ソケットから電源の供給を受ける場合である。それらの電源（Ｂ）は、点灯回路部位が使用できる電源にするためそれぞれに対応する制御回路により制御されるか、若しくは、蛍光灯器具の安定器が所定の改造されることにより点灯回路部位が使用可能な電源となる。そして、変換された電源は電球形ＬＥＤランプ（Ａ）用ソケットを介し電球形ＬＥＤランプ（Ａ）へ供給される。
【００１４】
商用電源コンセントから直接に、または、常夜灯用白熱電球ソケットから電源の供給を受ける場合には、直接それらの電源を点灯回路が使用できるので、ＬＥＤ照明器具は前記制御回路を必要としない。また、蛍光灯器具の安定器の改造も必要としない。
【００１５】
また、ＬＥＤ照明器具に取り付けられた一つ以上の電球ソケットは、所定の範囲内で首振り可能であるので、使用環境に合わせて照らす方向を調整することができる。また、電球形ＬＥＤランプを点灯／消灯させる点灯／消灯スイッチを具備することができ、新たな常夜灯を具備することもできる。
【００１６】
請求項５は、蛍光灯器具が直管形蛍光灯器具の場合のＬＥＤ照明器具である。このＬＥＤ照明器具は、電球形ＬＥＤランプ（Ａ）用ソケットを具備し、また、必要に応じて前記制御回路を具備し、若しくは、電球形ＬＥＤランプの点灯／消灯スイッチと新たな常夜灯を具備することもできる。
【００１７】
このＬＥＤ照明器具は、直管形蛍光灯と概同様に直管形蛍光灯器具の一対の蛍光灯ソケットに蛍光灯と概同様のピンを差込み固着されるか、若しくは、着脱可能に直管形蛍光灯器具に保持される。直管形蛍光灯器具に二対以上の蛍光灯ソケットがある場合には、前記ＬＥＤ照明器具の重量が大きい場合や、地震に対する安全率を大きくしたい時などに、ＬＥＤ照明器具は直管形蛍光灯器具の二対以上の蛍光灯ソケットで保持されることもできる。
【００１８】
請求項６は、蛍光灯器具が環状蛍光灯器具の場合のＬＥＤ照明器具である。このＬＥＤ照明器具は、直管形蛍光灯器具用のＬＥＤ照明器具と同じように、電球形ＬＥＤランプ（Ａ）用ソケットを具備し、また、必要に応じて前記制御回路を具備し、若しくは、電球形ＬＥＤランプの点灯／消灯スイッチと新たな常夜灯を具備することも可能である。
【００１９】
このＬＥＤ照明器具は、環状蛍光灯と概同様に、環状蛍光灯器具に具備された環状蛍光灯用ランプホルダーに固着されるか、若しくは、着脱可能に保持される。環状蛍光灯器具に二組以上の環状蛍光灯用ランプホルダーがある場合、前記ＬＥＤ照明器具の重量が過剰な場合や、地震に対する安全率を大きくしたい時などに、二組以上の環状蛍光灯器具用ランプホルダーでこのＬＥＤ照明器具を保持することもできる。
【００２０】
請求項７は、蛍光灯ソケットから、または、点灯管ソケットから電源（Ｂ）の供給を受ける場合である。ＬＥＤ照明器具は、それらの電源（Ｂ）を点灯回路部位が使用できる電源に制御する前記制御回路をＬＥＤ照明器具に内蔵することができる。また、前記制御回路は、ＬＥＤ照明器具へ着脱可能に装着することもできる。
【００２１】
請求項８は、前記制御回路がＬＥＤ照明器具に着脱可能の場合である。蛍光灯ソケットから電源の供給をうける部位３ｆ、及び点灯管ソケットから電源の供給をうける部位３ｄのそれぞれの部位が、それぞれに必要とされる前記制御回路を具備している。
【００２２】
前記制御回路を必要としない商用電源コンセントから直接に電源の供給を受ける部位３ｅと、蛍光灯器具が具備する常夜灯用白熱電球ソケットから電源の供給を受ける部位３ｃは前記制御回路を具備しない。
【００２３】
前記制御回路を具備するいずれの部位であっても、前記制御回路を具備しないいずれの部位であっても、ＬＥＤ照明器具に固着するか、若しくは着脱可能に装着することができる。また、ＬＥＤ照明器具は、いずれの部位であっても装着することができるソケットを具備している。
【００２４】
蛍光灯器具が直管形蛍光灯器具の場合にＬＥＤ照明器具が蛍光灯ソケットから電源の供給を受ける時以外は、ＬＥＤ照明器具が蛍光灯器具に保持されるために蛍光灯ソケットに差し込まれるピンは、安全のために電気絶縁されている。
【発明の効果】
【００２５】
本発明は、電球形ＬＥＤランプから点灯回路を分離し、一つの点灯回路で複数の電球形ＬＥＤランプ（Ａ）を点灯するため、重量の低減、電球形ＬＥＤランプ（Ａ）のコスト低減、発熱量の低減、節電効果が高まる。電球形ＬＥＤランプ（Ａ）は一般的な電球形ＬＥＤランプとほぼ同様な部品を使用するため、製造ラインの大きな変更を必要としないし、点灯回路が必要でないので製造コスト低減となる。
【００２６】
そして、蛍光灯器具を改造することなく、若しくは、軽微な改造によって、簡単に本発明のＬＥＤ照明器具を蛍光灯器具に装着でき、不便になることなくＬＥＤ蛍光灯より安価な電球形ＬＥＤランプ（Ａ）を使用できる。また首振り可能な複数個の電球形ＬＥＤランプ（Ａ）用ソケットにより、必要なところに光を向けることができ、机上作業の利便性があがる。また、光が不要なところの電球形ＬＥＤランプ（Ａ）を外すことにより、細かな省エネ対策が可能となる
【００２７】
電球形ＬＥＤランプ（Ａ）用ソケットは複数個具備されるので、白色系、電球色系を組み合わせ、そして、電球の方向に変化を与えることにより、照明器具としてのデザイン性を向上させることができる。また、電源の規格が合致すれば、電球形蛍光灯や白熱電灯も使用でき、更にデザイン性を向上させることができる。
【００２８】
ユーザーが所有する既存の蛍光灯器具だけでなく、メーカーが在庫で所有する蛍光灯器具に本発明を固着、または、着脱可能に装着し、新商品として販売することもできる。また、本発明を蛍光灯器具以外に取り付け新商品として販売することもできる。
【図面の簡単な説明】
【００２９】
【図１】本発明の実施例１に係る直管形蛍光灯器具用のＬＥＤ照明器具を直管形蛍光灯器具へ装着した状態を示す図である。
【図２】本発明の実施例１に係る直管形蛍光灯器具用のＬＥＤ照明器具を直管形蛍光灯器具から取り外した状態を示す図である。
【図３】本発明の実施例１に係る直管形蛍光灯器具用のＬＥＤ照明器具から、電球形ＬＥＤランプ（Ａ）を取り外した状態を示す図である。
【図４】本発明の実施例１に係る直管形蛍光灯器具用のＬＥＤ照明器具が蛍光灯ソケットへ取り付く部位と電球形ＬＥＤランプ（Ａ）用ソケットの首振り部位の詳細図である。
【図５】首振り機能部位と電球形ＬＥＤランプ（Ａ）用ソケットとの保持状態を示す背面図である。
【図６】本発明の実施例２に係る環状蛍光灯器具用のＬＥＤ照明器具に電球形ＬＥＤランプ（Ａ）を装着した状態を示す図である。
【図７】本発明の実施例２に係る環状蛍光灯器具用のＬＥＤ照明器具から電球形ＬＥＤランプ（Ａ）を取り外した状態を示す図である。
【図８】本発明の実施例３に係る環状蛍光灯器具用のＬＥＤ照明器具に電球形ＬＥＤランプ（Ａ）を装着した状態を示す図である。
【図９】本発明の実施例３に係る環状蛍光灯器具用のＬＥＤ照明器具から電球形ＬＥＤランプ（Ａ）を取り外した状態を示す図である。
【図１０】本発明の実施例４に係る電源供給を受ける４種類の部位が着脱可能である事例を示す図である。
【図１１】参考のために、既存の直管形蛍光灯器具を示す図である。
【発明を実施するための形態】
【実施例１】
【００３０】
図１に当発明の実施例の一つを示す。この形態は、図１１に示す直管形蛍光灯器具に、直管形蛍光灯器具用のＬＥＤ照明器具を装着してある。また、電源の供給を直管形蛍光灯ソケットから３ａを介して受ける場合である。
【００３１】
図１、図４に示すように、蛍光灯ソケット１１ａと嵌合する部位３ａは、通常の直管形蛍光灯の口金と概ね同じであり、蛍光灯ソケット１１ａから蛍光灯用電源の供給を受け、ＬＥＤ照明器具を保持し、着脱可能となっている。
【００３２】
また、直管形蛍光灯器具に二対の蛍光灯ソケットがある場合、重量、強度、剛性上必要であれば、一対の蛍光灯ソケット１１ａでＬＥＤ照明器具全体を保持するのでなく、二対の蛍光灯ソケット１１ａで保持することも可能である。
【００３３】
ＬＥＤ照明器具１ａは、軽量で必要な剛性、強度、耐熱性を持つ材質であり、剛性、強度を考慮したフレームを構成している。また、ＬＥＤ照明器具１ａフレームは中空であり配線用スペースとして利用され、デザイン性のためにＬＥＤ照明器具１ａの外配線は最小にしている。
【００３４】
部位３ａは制御回路を内蔵し、蛍光灯ソケット１１ａから供給された電源（Ｂ）を点灯回路が使用可能な電源に変換する。部位３ａは部位４と固着、若しくは所定の範囲内で回動可能に挿着されている。所定の範囲内で回動可能にすることにより、部位３ａが蛍光灯ソケットに挿入しやすくなり、ＬＥＤ照明器具１ａ全体を回動することにより照明方向を変えることができる。制御回路の詳細は、複数の先行技術の中で蛍光灯形ＬＥＤランプ内の制御回路が提案されている。
【００３５】
部位４が内蔵する点灯回路は、部位３ａの制御回路が電源（Ｂ）を変換した電源を電球形ＬＥＤランプ（Ａ）２が使用できる電源に変換する。そして、2度変換された電源がＬＥＤ照明器具１ａ内の配線を流れ電球形ＬＥＤランプ（Ａ）用ソケット５を介して電球形ＬＥＤランプ（Ａ）２に供給される。
【００３６】
電球形ＬＥＤランプ（Ａ）用ソケット５は、所定の範囲内で首振り可能であり、照明の方向を所定の範囲内で任意に変えることができる。
【００３７】
電球形ＬＥＤランプ（Ａ）用ソケット５は、点灯回路内蔵した一般的な電球形ＬＥＤランプが間違って使用されない工夫がなされている。例えば、口金の形状を変える方法、または、口金とソケットの溝のピッチを変える方法、またはソケットに突起物を設け口金は突起物に対応した溝を取り設ける方法等があるがここでは省略されている。
【００３８】
電球形ＬＥＤランプ（Ａ）用ソケットは、中径のＥ２６型用、小径のＥ１７型用が通常使用される。当実施例では、一種類のソケットしか使用していないが、蛍光灯器具のランプカバーの納まりに合わせて小径の電球ソケットを採用することができる。また、複数の異なる電球ソケット径を採用することにより照明器具としてのデザイン性を向上することもできる。
【００３９】
図４、図５に示すように、電球形ＬＥＤランプ（Ａ）用ソケット５は首振り可能に保持される。当実施例では、所定の範囲内で概垂直方向に回動するための首振り支持部位６ａと、所定の範囲内で概水平方向に回動するための首振り支持部位６ｂの直交する２軸で支持されている。
【００４０】
蛍光灯ソケット１１ａから電球形ＬＥＤランプ（Ａ）用ソケット５までの配線は省略されているが、ＬＥＤ照明器具１ａ内に配線され、ＬＥＤ照明器具１ａの外の配線は最小にし、照明器具としてのデザイン性に配慮している。
【実施例２】
【００４１】
図６に当発明の二つ目の実施例を示す。この形態は、環状蛍光灯器具用のＬＥＤ照明器具である。図７は電球形ＬＥＤランプ（Ａ）を取り外した状態の、環状蛍光灯器具用のＬＥＤ照明器具である。また、電源の供給を環状蛍光灯ソケットから３ｂを介して受ける場合である。
【００４２】
図６、図７に示すように、環状蛍光灯ソケットと嵌合する部位３ｂは、通常の環状蛍光灯のプラグと概ね同じであり、環状蛍光灯ソケットから蛍光灯用電源（Ｂ）の供給を受け、電源（Ｂ）を点灯回路が使用可能な電源に変換する制御回路を内蔵している。
【００４３】
ＬＥＤ照明器具１ｂは、通常の環状蛍光灯器具が具備する環状蛍光灯ランプホルダーに通常の環状蛍光灯と同様に装着される。
また、環状蛍光灯器具は通常蛍光灯２本分のランプホルダーを具備する。重量、強度、剛性上必要であれば、２本分のランプホルダーによって一つのＬＥＤ照明器具１ｂを保持する方法も可能である。
【００４４】
ＬＥＤ照明器具１ｂは、軽量で必要な剛性、強度、耐熱性もつ材質であり、剛性、強度を考慮した環状フレームで構成されている。また、ＬＥＤ照明器具１ｂは中空であり配線用スペースとして利用され、デザイン性のためにＬＥＤ照明器具１ｂの外配線は最小にされている。
【００４５】
部位３ｂは点灯回路を内蔵する点灯回路部位４に固着している。部位３ｂの軸部分は蛇腹状となっていて環状蛍光灯器具の蛍光灯ソケットの所定の方向に簡便に差し込むことができる。
【００４６】
部位４が内蔵する点灯回路は、部位３ａの制御回路が電源（Ｂ）を変換した電源を電球形ＬＥＤランプ（Ａ）２が使用できる電源に変換する。そして、2度変換された電源がＬＥＤ照明器具１ｂ内の配線を流れ電球形ＬＥＤランプ（Ａ）用ソケット５を介して電球形ＬＥＤランプ（Ａ）２に供給される。
【００４７】
電球形ＬＥＤランプ（Ａ）用ソケット５は、所定の範囲内で首振り可能であり、照明の方向を所定の範囲内で任意に変えることができる。
【００４８】
電球形ＬＥＤランプ（Ａ）用ソケット５は、点灯回路内蔵した一般的な電球形ＬＥＤランプが間違って使用されない工夫がなされている。例えば、口金の形状を変える方法、または、口金とソケットの溝のピッチを変える方法、またはソケットに突起物を設け口金は突起物に対応した溝を取り設ける方法等があるがここでは省略されている。
【００４９】
電球形ＬＥＤランプ（Ａ）用ソケットは、中径のＥ２６型用、小径のＥ１７型用が通常使用される。当実施例では、一種類のソケットしか使用していないが、蛍光灯器具のランプカバーの納まりに合わせて小径の電球ソケットを採用することができる。また、複数の異なる電球ソケット径を採用することにより照明器具としてのデザイン性を向上することもできる。
【００５０】
電球形ＬＥＤランプ（Ａ）ソケット５は、首振り可能に保持される。当実施例では、所定の範囲内で概垂直方向に回動するための首振り支持部位６ａと、所定の範囲内で概水平方向に回動するための首振り支持部位６ｂの直交する２軸で支持されている。
【００５１】
蛍光灯ソケットから電球形ＬＥＤランプ（Ａ）ソケット５までの配線は省略されているが、極力ＬＥＤ照明器具１ｂ内に配線され、ＬＥＤ照明器具１ｂの外の配線は最小にし、照明器具としてのデザイン性に配慮している。
【実施例３】
【００５２】
図８に当発明の三つ目の実施例を示す。この形態は、環状蛍光灯器具用のＬＥＤ照明器具である。図９は電球形ＬＥＤランプ（Ａ）を取り外した状態の環状蛍光灯器具用のＬＥＤ照明器具である。また、電源の供給を常夜灯用白熱電球ソケットから３ｃを介して受ける場合である。
【００５３】
図８、図９に示すように、常夜灯用白熱電球ソケットと嵌合する部位３ｃ１は、通常の常夜灯用白熱電球の口金と概ね同じであり、常夜灯用白熱電球ソケットから商用電源と概ね同じ電源の供給を受ける。
【００５４】
ＬＥＤ照明器具１ｂは、通常の環状蛍光灯器具が具備する環状蛍光灯ランプホルダーに通常の環状蛍光灯と同様に装着される。
また、環状蛍光灯器具は通常蛍光灯２本分のランプホルダーを具備する。重量、強度、剛性上必要であれば、２本分のランプホルダーによって一つのＬＥＤ照明器具１ｂを保持する方法も可能である。
【００５５】
ＬＥＤ照明器具１ｂは、軽量で必要な剛性、強度、耐熱性もつ材質であり、剛性、強度を考慮した環状フレームで構成されている。また、ＬＥＤ照明器具１ｂは中空であり配線用スペースとして利用され、デザイン性のためにＬＥＤ照明器具１ｂの外配線は最小にされている。
【００５６】
部位３ｃは部位４ａに固着するか、または、着脱可能である。
【００５７】
電球形ＬＥＤランプ（Ａ）ソケット５は、所定の範囲内で首振り可能であり、照明の方向を所定の範囲内で任意に変えることができる。
【００５８】
電球形ＬＥＤランプ（Ａ）用ソケット５は、点灯回路内蔵した一般的な電球形ＬＥＤランプが間違って使用されない工夫がなされている。例えば、口金の形状を変える方法、または、口金とソケットの溝のピッチを変える方法、またはソケットに突起物を設け口金は突起物に対応した溝を取り設ける方法等があるがここでは省略されている。
【００５９】
電球形ＬＥＤランプ（Ａ）用ソケットは、中径のＥ２６型用、小径のＥ１７型用が通常使用される。当実施例では、一種類のソケットしか使用していないが、蛍光灯器具のランプカバーの納まりに合わせて小径の電球ソケットを採用することができる。また、複数の異なる電球ソケット径を採用することにより照明器具としてのデザイン性を向上することもできる。
【００６０】
電球形ＬＥＤランプ（Ａ）ソケット５は、首振り可能に保持される。当実施例では、所定の範囲内で概垂直方向に回動できるように首振り支持部位６ａと、所定の範囲内で概水平方向に回動できるように首振り支持部位６ｂの直交する２軸で支持されている。
【００６１】
蛍光灯ソケットから電球形ＬＥＤランプ（Ａ）ソケット５までの配線は省略されているが、極力ＬＥＤ照明器具１ｂ内に配線され、ＬＥＤ照明器具１ｂの外の配線は最小にし、照明器具としてのデザイン性に配慮している。
【００６２】
部位４ａは、電球形ＬＥＤランプオンオフスイッチング装置を内蔵し、新たに常夜灯も具備できる。部位４ｂは、電球形ＬＥＤランプをオンオフするためのスイッチである。
【実施例４】
【００６３】
図１０に電源供給を受ける数種類の部位の実施例を示す。それらは、常夜灯用白熱電球ソケットから電源を受ける部位３Ｃ、直接に商用電源から電源を受ける部位３ｅ、環状蛍光灯ソケットから電源を受ける部位３ｆ、点灯管ソケットから電源を受ける部位３ｄである。
【００６４】
部位３ｃ、３ｄ、３ｅ、３ｆは、ＬＥＤ照明器具４ａのソケット７に着脱可能である。口金部分３ｃ２、３ｄ２、３ｅ２、３ｆ２は回転自在であり、ケーブルが捩れること無く、ソケット７に捩じ込むことができる。
環状蛍光灯ソケットから電源を受ける部位３ｆ、点灯管ソケットから電源を受ける部位３ｄそれぞれは、電源を制御する制御回路３ｆ３、３ｄ３を具備している。
【００６５】
電源を受ける部位３ｃ、３ｄ、３ｅを使用する電源供給を受ける方法は、直管形蛍光灯器具にも使用できる。但し、この場合、直管形蛍光灯ソケットに装着されるピンは安全のために電気絶縁をする必要がある。
【符号の説明】
【００６６】
１      ＬＥＤ照明器具
１ａ    直管形蛍光灯器具用のＬＥＤ照明器具
１ｂ    環状蛍光灯器具用のＬＥＤ照明器具
２      点灯回路を具備しない電球形ＬＥＤランプ（Ａ）
３      電源供給を受け、点灯回路部位が使用できる電源に制御するための制御回路を具備可能な部位
３ａ    直管形蛍光灯ソケットから電源供給を受け、ＬＥＤ照明器具を保持し、制御回路を具備可能な部位
３ｂ    環状蛍光灯ソケットから電源供給を受け、制御回路を具備可能な部位
３ｃ    ＬＥＤ照明器具に着脱可能な、常夜灯用白熱電球ソケットから電源供給を受ける部位
３ｃ１  常夜灯用白熱電球ソケットに螺合する口金
３ｃ２  ＬＥＤ照明器具内配線へ繋がるソケットに螺合する口金
３ｄ    ＬＥＤ照明器具に着脱可能な、点灯管ソケットから電源供給を受ける部位
３ｄ１  点灯管ソケットに螺合する口金
３ｄ２  ＬＥＤ照明器具内配線へ繋がるソケットに螺合する口金
３ｄ３  点灯回路部位が使用できる電源に制御するための制御回路を具備する部分
３ｅ    ＬＥＤ照明器具に着脱可能な、直接に商用電源コンセントから電源供給を受ける部位
３ｅ１  商用電源コンセント用のプラグ
３ｅ２  ＬＥＤ照明器具内配線へ繋がるソケットに螺合する口金
３ｆ     ＬＥＤ照明器具に着脱可能な、環状蛍光灯ソケットから電源供給を受ける部位
３ｆ１   環状蛍光灯ソケットに装着する口金
３ｆ２   ＬＥＤ照明器具内配線へ繋がるソケットに螺合する口金
３ｆ３   点灯回路部位が使用できる電源に制御するための制御回路を具備する部分
４      点灯回路を具備する点灯回路部位
４ａ    点灯回路と電球形ＬＥＤランプ（Ａ）のオンオフスイッチング回路を具備する部位
４ｂ    電球形ＬＥＤランプ（Ａ）のオンオフスイッチ
５      点灯回路を具備しない電球形ＬＥＤランプ（Ａ）用ソケット
６      首振り部位
６ａ    略上下方向の首振り支持部位
６ｂ    略水平方向の首振り支持部位
７      ＬＥＤ照明器具内配線へ繋がるソケット
１１    直管形蛍光灯器具
１１ａ  直管形蛍光灯器具の蛍光灯ソケット
【図１】
2013143249.tif 000003
【図２】
2013143249.tif 000004
【図３】
2013143249.tif 000005
【図４】
2013143249.tif 000006
【図５】
2013143249.tif 000007
【図６】
2013143249.tif 000008
【図７】
2013143249.tif 000009
【図８】
2013143249.tif 000010
【図９】
2013143249.tif 000011
【図１０】
2013143249.tif 000012
【図１１】
2013143249.tif 000013